(57)【要約】【課題】ユーザーが移動または静止のいずれの状態で入力操作を行う場合も、操作性の向上を図ること。【解決手段】本発明の携帯電子機器は、前記携帯電子機器の移動状態を検出する検出部と、入力用画像を表示する表示部と、前記移動状態に応じて、前記表示部における前記入力用画像の表示領域を決定し、決定した表示領域に前記入力用画像を表示するよう前記表示部に指示する制御部と、を有する。【選択図】図１
2013126090.tif 000002
【特許請求の範囲】
【請求項１】
携帯電子機器であって、
前記携帯電子機器の移動状態を検出する検出部と、
入力用画像を表示する表示部と、
前記移動状態に応じて、前記表示部における前記入力用画像の表示領域を決定し、決定した表示領域に前記入力用画像を表示するよう前記表示部に指示する制御部と、を有する携帯電子機器。
【請求項２】
ユーザーが歩行または走行している場合における前記入力用画像の表示領域である特定表示領域を記憶する記憶部をさらに有し、
前記制御部は、前記移動状態が、前記携帯電子機器を携帯しているユーザーが歩行または走行していることを示す場合、前記入力用画像の表示領域を、前記記憶部に記憶された前記特定表示領域に決定する、請求項１に記載の携帯電子機器。
【請求項３】
前記表示部は、前記表示部への接触物の接触を検知する機能を備え、
前記制御部は、前記表示部に前記接触物が接触した位置に応じて前記特定表示領域を決定し、決定した前記特定表示領域を前記記憶部に記憶させる、請求項２に記載の携帯電子機器。
【請求項４】
前記制御部は、前記表示部に前記接触物が接触した複数の位置に応じて前記特定表示領域を決定する、請求項３に記載の携帯電子機器。
【請求項５】
前記制御部は、前記移動状態が、前記ユーザーが走行していることを示す場合、前記入力用画像の縮尺を維持したまま前記入力用画像の一部を前記特定表示領域に表示するよう前記表示部に指示する、請求項２から４のいずれか１項に記載の携帯電子機器。
【請求項６】
前記検出部は、前記携帯電子機器の姿勢を検出することで前記移動状態を検出し、
前記制御部は、前記特定表示領域に前記入力用画像が表示された後に、前記携帯電子機器が傾けられると、傾けられた方向に前記入力用画像の表示領域を移動するよう前記表示部に指示する、請求項２から５のいずれか１項に記載の携帯電子機器。
【請求項７】
表示部を有する携帯電子機器が行う表示制御方法であって、
前記携帯電子機器の移動状態を検出し、
前記移動状態に応じて、前記表示部における前記入力用画像の表示領域を決定し、
前記決定した表示領域に前記入力用画像を表示する、表示制御方法。
【請求項８】
表示部を有する携帯電子機器に、
前記携帯電子機器の移動状態を検出する手順と、
前記移動状態に応じて、前記表示部における前記入力用画像の表示領域を決定する手順と、
前記決定した表示領域に前記入力用画像を表示する手順と、を実行させるためのプログラム。
【発明の詳細な説明】
【技術分野】
【０００１】
本発明は、携帯電子機器、表示制御方法、プログラムに関する。
【背景技術】
【０００２】
近年では、携帯電話機、スマートフォン、多機能携帯端末など、タッチパネルディスプレイを搭載した携帯電子機器が広く普及してきている。
【０００３】
また、最近は、タッチパネルディスプレイに対する入力操作を容易にする技術も提案されている（例えば、特許文献１）。
【０００４】
特許文献１には、タッチパネルディスプレイにおける入力キーの表示領域に対する連続する移動入力を検知すると、入力キーの表示領域を移動したり、入力キーの表示領域を拡大または縮小したりする技術が記載されている。
【先行技術文献】
【特許文献】
【０００５】
【特許文献１】特開２００８−０８４１４４号公報
【発明の概要】
【発明が解決しようとする課題】
【０００６】
特許文献１に記載の技術は、携帯電子機器を片手で保持し、その片手で入力操作を行うことを想定していると考えられる。
【０００７】
そのため、ユーザーが歩行または走行して移動している状態で、片手で入力操作を行う場合、特許文献１に記載の技術を利用すれば、操作性は向上すると考えられる。
【０００８】
ところが、最近、タッチパネルディスプレイは、大型化が進む傾向があり、大画面（５〜１０インチなど）の製品も多数登場してきている。
【０００９】
大画面のタッチパネルディスプレイを搭載した携帯電子機器においては、ユーザーは、携帯電子機器を机等に置いて静止している状態で入力操作を行う場合もある。この場合、入力キーの表示領域を広くすることで、ユーザーは両手での入力操作が可能となるため、操作性が向上すると考えられる。
【００１０】
しかし、特許文献１に記載の技術は、ユーザーが移動している状態での操作性を向上させることはできるものの、上述したように、片手で入力操作を行うことを想定しているため、ユーザーが静止した状態での操作性が向上しないことがあるという問題点がある。
【００１１】
そこで、本発明の目的は、上述した課題を解決することができる携帯電子機器、表示制御方法、プログラムを提供することにある。
【課題を解決するための手段】
【００１２】
本発明の携帯電子機器は、
前記携帯電子機器の移動状態を検出する検出部と、
入力用画像を表示する表示部と、
前記移動状態に応じて、前記表示部における前記入力用画像の表示領域を決定し、決定した表示領域に前記入力用画像を表示するよう前記表示部に指示する制御部と、を有する。
【００１３】
本発明の表示制御方法は、
表示部を有する携帯電子機器が行う表示制御方法であって、
前記携帯電子機器の移動状態を検出し、
前記移動状態に応じて、前記表示部における前記入力用画像の表示領域を決定し、
前記決定した表示領域に前記入力用画像を表示する。
【００１４】
本発明のプログラムは、
表示部を有する携帯電子機器に、
前記携帯電子機器の移動状態を検出する手順と、
前記移動状態に応じて、前記表示部における前記入力用画像の表示領域を決定する手順と、
前記決定した表示領域に前記入力用画像を表示する手順と、を実行させる。
【発明の効果】
【００１５】
本発明によれば、ユーザーが移動または静止のいずれの状態で入力操作を行う場合も、操作性の向上を図れるという効果が得られる。
【図面の簡単な説明】
【００１６】
【図１】本発明の第１の実施形態の携帯電子機器の構成を示すブロック図である。
【図２】本発明の第２の実施形態の携帯電子機器の構成を示すブロック図である。
【図３】図２に示した携帯電子機器において、ユーザーが静止状態にある場合の入力キーの画像の表示例を示す図である。
【図４】図２に示した携帯電子機器において、ユーザーが歩行または走行状態にある場合の入力キーの画像の表示例を示す図である。
【図５】図２に示した携帯電子機器の全体動作を説明するフローチャートである。
【図６】図５に示したステップＡ７において、ユーザーが特定表示領域を登録する場合の動作を説明するフローチャートである。
【図７】図５に示したステップＡ７において、ユーザーが特定表示領域を登録する場合の動作を説明する図である。
【図８Ａ】本発明の他の実施形態の携帯電子機器において、ユーザーが特定表示領域を登録する場合の動作を説明する図である。
【図８Ｂ】本発明の他の実施形態の携帯電子機器において、ユーザーが特定表示領域を登録する場合の動作を説明する図である。
【図９】本発明の他の実施形態の携帯電子機器において、入力キーの画像の表示領域を移動する場合の動作を説明する図である。
【図１０】本発明の他の実施形態の携帯電子機器において、ユーザーが走行状態にある場合の入力キーの画像の表示例を示す図である。
【発明を実施するための形態】
【００１７】
以下に、本発明を実施するための形態について図面を参照して説明する。
（１）第１の実施形態
図１に示すように、本実施形態の携帯電子機器１は、検出部１１と、表示部１２と、制御部１３と、を有している。
【００１８】
検出部１１は、携帯電子機器１の移動状態を検出する。
【００１９】
例えば、検出部１１は、携帯電子機器１を携帯しているユーザー（以下、単にユーザーと称す。以下の本実施形態の説明において同じ）が歩行している状態と、ユーザーが走行している状態と、ユーザーが静止している状態と、のいずれであるかを検出する。
【００２０】
表示部１２は、入力用画像を表示する。
【００２１】
例えば、入力用画像は、入力キーの画像である。
【００２２】
制御部１３は、検出部１１が検出した携帯電子機器１の移動状態に応じて、表示部１２における入力用画像の表示領域を決定し、決定した表示領域に入力用画像を表示するよう表示部１２に指示する。
【００２３】
例えば、制御部１３は、ユーザーが歩行または走行している状態にある場合、入力用画像の表示領域をユーザーが片手で操作し易い表示領域（例えば、ユーザーが片手で携帯電子機器１を保持している状態で、表示部１２の右下隅または左下隅に位置する表示領域）に決定する。一方、制御部１３は、ユーザーが静止している状態にある場合、入力用画像の表示領域をユーザーが両手で操作し易い表示領域（例えば、ユーザーが両手で携帯電子機器１を保持している状態またはユーザーが携帯電子機器１を机等に置いている状態で、表示部１２の左端近傍から右端近傍にわたる表示領域）に決定する。
【００２４】
上述したように本実施形態においては、携帯電子機器１の移動状態を検出し、携帯電子機器１の移動状態に応じて、表示部１２における入力用画像の表示領域を決定し、決定した表示領域に入力用画像を表示する。
【００２５】
そのため、例えば、ユーザーが歩行または走行している状態にあれば、ユーザーが片手で操作し易い表示領域に入力用画像を表示し、ユーザーが携帯電子機器を机等に置いて静止している状態にあれば、ユーザーが両手で操作し易い表示領域に入力用画像を表示する、といったことも可能である。
【００２６】
したがって、ユーザーが移動または静止のいずれの状態で入力操作を行う場合も、操作性の向上を図れるという効果が得られる。
（２）第２の実施形態
本実施形態は、本発明の携帯電子機器をタブレット型ＰＣ（Personal Computer）に適用し、第１の実施形態の構成および動作を具体化した例である。
【００２７】
図２に示すように、本実施形態の携帯電子機器２は、加速度センサ２１を含む検出部２２と、タッチパネルディスプレイ２３と、記憶部２４と、制御部２５と、を有している。
【００２８】
なお、図２において、検出部２２が図１の検出部１１に対応し、タッチパネルディスプレイ２３が図１の表示部１２に対応し、制御部２５が図１の制御部１３に対応する。
【００２９】
加速度センサ２１は、携帯電子機器１の加速度を検出する。
【００３０】
検出部２２は、加速度センサ２１の検出結果を基に携帯電子機器２の姿勢を検出し、携帯電子機器２の姿勢の検出結果を基に携帯電子機器２の移動状態を検出する。
【００３１】
例えば、検出部２２は、携帯電子機器２を携帯しているユーザー（以下、単にユーザーと称す。以下の本実施形態の説明において同じ）が歩行している状態と、ユーザーが走行している状態と、ユーザーが静止している状態と、のいずれであるかを検出する。
【００３２】
タッチパネルディスプレイ２３は、入力用画像等を表示する機能と、ユーザーの指などの接触物のタッチパネルディスプレイ２３への接触（タッチ）とその接触位置を検知する機能と、を備える。
【００３３】
なお、以下の本実施形態の説明では、入力用画像が入力キーの画像であるものとする。
【００３４】
記憶部２４は、ユーザーが歩行または走行している場合における、タッチパネルディスプレイ２３における入力キーの画像の表示領域である特定表示領域等を記憶する。特定表示領域は、ユーザーが歩行または走行している場合に、ユーザーが片手で入力キーを操作し易いと考えられる表示領域であり、ユーザーが登録することも可能である。
【００３５】
そのため、記憶部２４は、特定表示領域として、デフォルトの特定表示領域と共に、ユーザーが登録した特定表示領域も記憶する。
【００３６】
制御部２５は、検出部２２が検出した携帯電子機器２の移動状態に応じて、タッチパネルディスプレイ２３における入力キーの画像の表示領域を決定し、決定した表示領域に入力キーの画像を表示するようタッチパネルディスプレイ２３に指示する。
【００３７】
例えば、制御部２５は、ユーザーが静止している状態にある場合、図３に示すように、入力キーの画像の表示領域をユーザーが両手で操作し易い表示領域（図３では、ユーザーが両手で携帯電子機器１を保持している状態で、タッチパネルディスプレイ２３の左端近傍から右端近傍にわたる表示領域）に決定する。
【００３８】
一方、制御部２５は、ユーザーが歩行または走行している状態にある場合、図４に示すように、入力キーの画像の表示領域をユーザーが片手で操作し易い特定表示領域（図４では、ユーザーが右手で携帯電子機器１を保持している状態で、タッチパネルディスプレイ２３の右下隅に位置する表示領域）に決定する。
【００３９】
このとき、制御部２５は、ユーザーが登録した特定表示領域が記憶部２４に記憶されていれば、ユーザーが登録した特定表示領域を入力キーの画像の表示領域と決定する。また、制御部２５は、ユーザーが登録した特定表示領域が記憶部２４に記憶されていなければ、デフォルトの特定表示領域を入力キーの画像の表示領域と決定する。
【００４０】
なお、以下の本実施形態の説明では、入力キーの画像のデフォルトの表示領域が図３に示した表示領域と予め決められており、タッチパネルディスプレイ２３は、入力キーの画像を表示する場合は、まず、図３に示したデフォルトの表示領域に入力キーの画像を表示するものとする。
【００４１】
そのため、制御部２５は、ユーザーが歩行または走行している状態にあり、図４に示した特定表示領域に入力キーの画像を表示する場合に限り、タッチパネルディスプレイ２３に対して、表示領域（特定表示領域）の指示を行うものとする。
【００４２】
以下、本実施形態の携帯電子機器２の動作について説明する。
【００４３】
最初に、全体動作について、図５のフローチャートに沿って説明する。
【００４４】
図５に示すように、まず、制御部２５は、検出部２２が検出した携帯電子機器２の移動状態が、ユーザーが歩行または走行している状態にあることを示しているか否かを判定する（ステップＡ１）。
【００４５】
ステップＡ１において、ユーザーが歩行または走行している状態にある場合（ステップＡ１のＹｅｓ）、制御部２５は、タッチパネルディスプレイ２３が入力キーの画像を表示中であるか否かを判定する（ステップＡ２）。ここでは、入力キーの画像が表示中である場合、図３に示したデフォルトの表示領域に入力キーの画像が表示されていることになる。
【００４６】
ステップＡ２において、入力キーの画像が表示中である場合（ステップＡ２のＹｅｓ）、制御部２５は、ユーザーが登録した特定表示領域が記憶部２４に記憶されているか否かを判定する（ステップＡ３）。
【００４７】
ステップＡ３において、ユーザーが登録した特定表示領域が記憶されている場合（ステップＡ３のＹｅｓ）、制御部２５は、ユーザーが登録した特定表示領域を記憶部２４から読み出し（ステップＡ４）、読み出した特定表示領域に入力キーの画像を表示するようタッチパネルディスプレイ２３に指示する。これを受けて、タッチパネルディスプレイ２３は、ユーザーが登録した特定表示領域に入力キーの画像を表示する（ステップＡ５）。
【００４８】
一方、ステップＡ３において、ユーザーが登録した特定表示領域が記憶されていない場合（ステップＡ３のＮｏ）、制御部２５は、ユーザーに対し、特定表示領域の登録を希望するか否かを問い合わせる（ステップＡ６）。この問い合わせは、例えば、所定のメッセージの画像をタッチパネルディスプレイ２３に表示することで行う。
【００４９】
ステップＡ６において、ユーザーが特定表示領域の登録を希望する場合（ステップＡ６のＹｅｓ）、制御部２５は、携帯電子機器２の動作モードを、通常モードから、特定表示領域を登録する登録モードに移行させ、ユーザーに特定表示領域を登録させ、ユーザーが登録した特定表示領域を記憶部２４に記憶させる（ステップＡ７）。この場合、以降、ステップＡ３〜Ａ５の処理が行われ、タッチパネルディスプレイ２３において、ステップＡ７でユーザーが登録した特定表示領域に入力キーの画像が表示されることになる。なお、ステップＡ７の詳細については後述する。
【００５０】
一方、ステップＡ６において、ユーザーが特定表示領域の登録を希望しない場合（ステップＡ６のＮｏ）、制御部２５は、デフォルトの特定表示領域を記憶部２４から読み出し（ステップＡ８）、読み出した特定表示領域に入力キーの画像を表示するようタッチパネルディスプレイ２３に指示する。これを受けて、タッチパネルディスプレイ２３は、デフォルトの特定表示領域に入力キーの画像を表示する（ステップＡ５）。
【００５１】
続いて、図５のステップＡ７において、ユーザーが特定表示領域を登録する場合の動作について、図６のフローチャートに沿って説明する。
【００５２】
図６に示すように、まず、制御部２５は、図７の上部に示すように、タッチパネルディスプレイ２３をタッチすることをユーザーに促すメッセージの画像を表示するようタッチパネルディスプレイ２３に指示する。これを受けて、タッチパネルディスプレイ２３は、制御部２５から指示された画像を表示する。
【００５３】
次に、制御部２５は、タッチパネルディスプレイ２３がユーザーのタッチを検知したか否かを判定する（ステップＢ１）。
【００５４】
ステップＢ１において、タッチパネルディスプレイ２３がユーザーのタッチを検出した場合（ステップＢ１のＹｅｓ）、制御部２５は、タッチを検出した位置の座標（Ｘ１，Ｙ１）に基づき、特定表示領域を決定する（ステップＢ２）。
【００５５】
例えば、図７の上部に示すように、ユーザーがタッチパネルディスプレイ２３をタッチした場合、制御部２５は、図７の下部に示すように、横方向の長さがＸ１、縦方向の長さがＹ１となる矩形で右下隅に位置する表示領域を、特定表示領域として決定する。
【００５６】
次に、制御部２５は、図７の下部に示すように、ステップＢ２で決定した特定表示領域に配置した入力キーの画像と、この特定表示領域の登録の可否をユーザーに問い合わせるメッセージの画像と、を表示するようタッチパネルディスプレイ２３に指示する。これを受けて、タッチパネルディスプレイ２３は、制御部２５から指示された画像を表示する。
【００５７】
ここで、ユーザーが特定表示領域を登録することを選択すると、制御部２５は、ステップＢ２で決定した特定表示領域を、ユーザーが登録した特定表示領域として記憶部２５に記憶させる（ステップＢ３）。
【００５８】
なお、複数のユーザーが携帯電子機器２を使用する場合、ユーザーごとに、特定表示領域を登録しても良い。この場合、各ユーザーが登録した表示領域に入力キーの画像を表示することが可能になる。
【００５９】
上述したように本実施形態においては、携帯電子機器２の移動状態を検出し、携帯電子機器２の移動状態に応じて、タッチパネルディスプレイ２３における入力キーの画像の表示領域を決定し、決定した表示領域に入力用画像を表示する。
【００６０】
そのため、例えば、ユーザーが静止している状態であれば、図３に示すように、ユーザーが両手で操作し易い表示領域に入力キーの画像を表示し、また、ユーザーが歩行または走行している状態であれば、図４に示すように、ユーザーが片手で操作し易い表示領域に入力キーの画像を表示する、といったことも可能である。
【００６１】
したがって、ユーザーが移動または静止のいずれの状態で入力操作を行う場合も、操作性の向上を図れるという効果が得られる。
【００６２】
また、本実施形態においては、ユーザーが歩行または走行している状態における、入力キーの画像の表示領域である特定表示領域を、ユーザーが登録することができる。
【００６３】
したがって、ユーザーは、歩行または走行している状態では、自身が登録した表示領域に入力キーの画像を表示することができるという効果が得られる。
（３）他の実施形態
以上、実施形態を参照して本発明を説明したが、本発明は上記実施形態に限定されるものではない。本発明の構成や詳細には、本発明の範囲内で当業者が理解し得る様々な変更をすることができる。
（３−１）例えば、第２の実施形態においては、ユーザーに特定表示領域を登録させる場合、制御部２５は、ユーザーがタッチした１点の位置に基づき、特定表示領域を決定したが、ユーザーがタッチした複数点の位置に基づき、特定表示領域を決定しても良い。
【００６４】
具体的には、制御部２５は、ユーザーが最初にタッチした位置に応じて右手または左手のどちらの操作であるか否かを判別し、その判別結果と、次にタッチした位置と、に基づき、特定表示領域を決定しても良い。
【００６５】
例えば、図８Ａおよび図８Ｂに示すように、制御部２５は、ユーザーが最初にタッチした位置の座標を（Ｘ０，Ｙ０）とする。
【００６６】
次に、制御部２５は、Ｘ０を、タッチパネルディスプレイ２３のＸ方向の中央点であるＸｃと比較する。
【００６７】
図８Ａに示すように、制御部２５は、Ｘ０＜Ｘｃであれば、右手の操作であると判別する。続いて、制御部２５は、ユーザーが次にタッチした位置の座標を（Ｘ１，Ｙ１）とする。そして、制御部２５は、座標（Ｘ１，Ｙ１）に応じた、横方向の長さがＸ１、縦方向の長さがＹ１となる矩形で、右手に対応する右下隅に位置する表示領域を、特定表示領域として決定する。
【００６８】
一方、図８Ｂに示すように、Ｘ０＞Ｘｃであれば、左手の操作であると判別する。続いて、制御部２５は、ユーザーが次にタッチした位置の座標を（Ｘ１，Ｙ１）とする。そして、制御部２５は、座標（Ｘ１，Ｙ１）に応じた、横方向の長さがＸ１、縦方向の長さがＹ１となる矩形で、左手に対応する左下隅に位置する表示領域を、特定表示領域として決定する。
（３−２）また、第２の実施形態においては、ユーザーが歩行または走行している場合に、入力キーの画像を右下隅の特定表示領域に表示する例について説明した。この例では、ユーザーが右手で携帯電子機器２を保持している場合は、右手近くに入力キーの画像が表示されるため、操作性は向上するが、ユーザーが携帯電子機器２を左手で保持している場合は、左手から遠い位置に入力キーの画像が表示されるため、操作性が悪くなる。
【００６９】
そこで、制御部２５は、特定表示領域に入力キーの画像を表示した後、図９に示すように、携帯電子機器２が傾けられると、傾けられた方向に入力キーの画像の表示領域を移動するようタッチパネルディスプレイ２３に指示しても良い。これにより、ユーザーが右手または左手のどちらで操作する場合にも、操作性を向上させることができる。
（３−３）また、第２の実施形態においては、ユーザーが歩行または走行している場合に、入力キーの画像を縮小して特定表示領域に表示する例について説明した。しかし、特に、ユーザーが走行している場合には、入力キーが小さく表示されると、入力操作が困難になることが予想される。
【００７０】
そこで、制御部２５は、ユーザーが走行している場合、図１０に示すように、入力キーの画像の縮尺を維持したまま入力キーの画像の一部を特定表示領域に表示するようタッチパネルディスプレイ２３に指示しても良い。これにより、ユーザーが走行している状態では、入力キーが大きく表示されるため、操作性を向上させることができる。
（３−４）また、第２の実施形態においては、入力キーをフルキーで表示したが、本発明はこれに限定されず、携帯電話機の発信画面のように、入力キーをテンキーで表示しても良い。
（３−５）また、第２の実施形態においては、入力用画像の一例として入力キーの画像を例に挙げたが、本発明はこれに限定されず、入力用画像は、画面全体（例えば、携帯電話機の待受画面、ＰＣのデスクトップ画面等）でも良い。この場合、画面全体が縮小されるため、ユーザーは通常の操作を片手で行うことができる。
（３−６）また、第２の実施形態においては、検出部２２は、加速度センサ２１を用いて携帯電子機器２の移動状態を検出したが、本発明はこれに限定されない。例えば、検出部２２は、ＧＰＳ（Global Positioning System）を用いて携帯電子機器２の位置を算出し、算出した位置に基づき、携帯電子機器２の移動状態を検出しても良い。
（３−７）また、第２の実施形態においては、携帯電子機器の一例としてタブレット型ＰＣを例に挙げたが、本発明はこれに限定されず、携帯電子機器は、携帯電話機、スマートフォン、ゲーム機、ノート型ＰＣなどでも良い。
（３−８）また、本発明の携帯電子機器１，２にて行われる方法は、コンピュータに実行させるためのプログラムに適用しても良い。また、そのプログラムを記憶媒体に格納することも可能であり、ネットワークを介して外部に提供することも可能である。
【符号の説明】
【００７１】
１    携帯電子機器
１１    検出部
１２    表示部
１３    制御部
２    携帯電子機器
２１    加速度センサ
２２    検出部
２３    タッチパネルディスプレイ
２４    記憶部
２５    制御部
【図１】
2013126090.tif 000003
【図２】
2013126090.tif 000004
【図３】
2013126090.tif 000005
【図４】
2013126090.tif 000006
【図５】
2013126090.tif 000007
【図６】
2013126090.tif 000008
【図７】
2013126090.tif 000009
【図８Ａ】
2013126090.tif 000010
【図８Ｂ】
2013126090.tif 000011
【図９】
2013126090.tif 000012
【図１０】
2013126090.tif 000013